(57)【要約】【課題】  カット野菜等の野菜惣菜と小袋入り調味液を一緒に収容できる容器体及びこの容器体を使用して作業性に優れ、かつ製造直後のままの形態を維持可能とした見栄えのする野菜惣菜の包装体を提供する。【解決手段】    主容器２と副容器３とがそれぞれのフランジ４，４により折り曲げのための折曲線５を介して一体に連結してあり、前記副容器３の開口部７の開口方向を前記主容器２の開口方向と逆方向に形成してあることを特徴とする容器体１とする。【選択図】図１
2008132993.tif 000002
【特許請求の範囲】
【請求項１】
主容器と副容器とがそれぞれのフランジにより折り曲げのための折曲線を介して一体に連結してあり、前記副容器の開口部の開口方向を前記主容器の開口方向と逆方向に形成してあることを特徴とする容器体。
【請求項２】
前記主容器と副容器とをプラスチックの一体成形により形成してある請求項１記載の容器体。
【請求項３】
副容器の開口部の面積を主容器の開口部の面積の１／２以下としてある請求項１及び２記載の容器体。
【請求項４】
前記折曲線を介して相対する両側のフランジ部又は主容器及び副容器側壁の一部に互いに嵌合可能な凹部と突起部を形成してある請求項１乃至３記載の容器体
【請求項５】
主容器に対して副容器の開口部の開口方向を逆向きにし、夫々のフランジにより一体に連結してある容器体の前記副容器をフランジ部を支軸として前記主容器側へ折り曲げ嵌入してあり、前記主容器内に野菜惣菜を、副容器内には小袋入り調味液を夫々充填してある容器体を袋体内に不活性ガスと共に装填密封してあることを特徴とする野菜惣菜の包装体。
【請求項６】
野菜惣菜はカット野菜であり、不活性ガスは窒素ガスであり、小袋入り調味液は液状ドレッシングとしてある請求項５記載の野菜惣菜の包装体。
【発明の詳細な説明】
【技術分野】
【０００１】
本発明は、主容器と副容器の開口部を互いに逆方向にし、フランジ部で一体に連結してある容器体と、この容器体に野菜惣菜と小袋入り液体調味料を収容し合成樹脂製袋体内に装填してある野菜惣菜の包装体に関する。
【背景技術】
【０００２】
近年、家庭における核家族化や主婦のパートタイム勤務などが増えるという社会現象の変化に伴って、食用に供される惣菜の店頭に陳列される販売品の形態も多様化している。例えば、野菜類は加熱調理後仕切りで画された容器に充填施蓋して販売されたり、生野菜は収穫後洗浄され、そのまま食することができるようにカット処理された状態で袋詰や蓋付容器に収容され、密封して販売されている。
【０００３】
ところで、上記販売形態の商品は殆どの場合、小袋入りの液体調味料（醤油、ドレッシング、ソース、マヨネーズ、食用油等）をそのまま惣菜と一緒に詰め合わせた形態で販売に供されている。このことは、例えば、特許文献１（特開２００２−１５３２１７号公報）によって挙げることができる。また、一方では２種類の食材を包装可能な容器体として、主容器と副容器をフランジをはさんで一体に連結して施蓋した構造の容器体が特許文献２（実開昭５６−１７５３６７号公報）に記載され、公知である。
【０００４】
【特許文献１】特開２００２−１５３２１７号公報
【特許文献２】実開昭５６−１７５３６７号公報
【発明の開示】
【発明が解決しようとする課題】
【０００５】
しかしながら、上記特許文献１の技法を用いて例えば、細かく截断したキャベツ、ニンジン、レタス等の生野菜類（以下、単に「カット野菜」という）を小袋入りの液体調味料と一緒に袋詰めし商品とした場合、製造直後は問題のない製品であっても、その後の流通段階での製品の移動や取扱い作業により、小袋入りの液体調味料がカット野菜の中に紛れ込んだり、あるいは、小袋の表面に野菜がこびりついたりするため、一見すると見栄えのしない不衛生にも見える商品となってしまうという問題があった。
【０００６】
そこで、これらの問題を少なくするため、袋体にカット野菜を直接充填することをやめて、容器体にカット野菜を充填し、その上に小袋入り調味液を直接戴置したものとし、これを袋体に装填した商品や、小袋入り調味液（以下、単に「小袋」ともいう）を副容器としての小容器体に収容した状態にした商品が市場に出現している。これらの容器体を使用した商品にあっては、いずれも袋体にカット野菜を直接充填したものに比べて多少は見栄えはするものの、カット野菜の上に小袋を載せた商品は、流通段階での小袋の野菜内への紛れこみや小袋表面への野菜のこびりつきの発生は抑え難く、未だ満足できる商品とは言えないものである。
【０００７】
また、小袋入り調味液を小容器内に収容し、これを容器体内のカット野菜に載せた形態の商品は、小袋がカット野菜内に紛れ込むことは殆どなくなるが、袋体内の容器体中で小袋を収容した小容器が、流通段階等で移動し、全ての商品を店頭で一定形態のものとして品揃え陳列することが難しい。
【０００８】
さらに、これを製造するに際しては小容器を別途余分に準備する必要があり、その分コスト高となるばかりでなく、小容器内に小袋入り調味液を収容する作業も増えることになり、製造効率が悪くなるという欠点があった。
【０００９】
本発明は上記従来の容器体の持つ問題点に鑑みなされたもので、カット野菜等の野菜惣菜と小袋入り調味液を一緒に容器に収容して袋体に装填したものであっても流通段階を経ても製造直後の形態で店頭に供することができると共にコストも安く製することができる容器体と、この容器体を用いた野菜惣菜の包装体を提供することを目的とする。
【課題を解決するための手段】
【００１０】
すなわち、本発明の容器体は、主容器と副容器とがそれぞれのフランジにより折り曲げのための折曲線部を介して一体に連結してあり、前記副容器の開口部の開口方向を前記主容器の開口方向と逆方向に形成してあることを特徴とする。
このような構造とすることにより、副容器を別個に製造する必要がなく、容器体をコスト安に製造できる。使用に際しては副容器をフランジ部で折り曲げることにより主容器内へ折り込み嵌入することができると共に主容器と副容器の開口部を同方向にした状態としてそれぞれの容器に内容物を充填できる。
【００１１】
また、副容器は、フランジで主容器と一体に連結してあるので流通段階においても主容器内であちらこちら移動することはなくなり、充填物同士の紛じり込みすることがない安定収容可能な容器体にすることができるのでよい。この際、主容器と副容器とをプラスチックの一体成形により形成しておくと、成形も容易な堅固で取り扱い易い容器体とすることができる。
また、副容器の開口部の面積を主容器の開口部の面積の１／２以下として形成しておくことで、容器体の上方からも主容器内の収容物の状態を視認できるものとなると共に容器体成形用の材料コストをさらに安価にすることができる。
【００１２】
また、前記折曲線を介して相対する両側のフランジ部又は主容器及び副容器側壁の一部に互いに嵌合可能な凹部と突起部を形成しておくことで、凹部と突起部を嵌合させて主容器と副容器を脱着可能となり、しかもしっかりと固定することができる。
【００１３】
請求項５の野菜惣菜の包装体は上記構造の容器体の主容器に野菜惣菜を充填収容し、副容器内には小袋入り調味液を収容した容器体を袋体内に不活性ガスと共に装填密封してあることを特徴とする。
このような構成とすることで、流通段階で小袋入り調味液が野菜惣菜の中に紛れ込んだりすることはなくなり、製造直後と殆ど変わらない形態の商品として販売に供することができる。
また、この際、野菜惣菜を細かく裁断したカット野菜とし、不活性ガスを窒素ガスとし、小袋入り調味液を液状ドレッシングとしておくことで、何時でも何処でも食すことができる新鮮な野菜サラダ商品として提供することができるのでよい。
【発明の効果】
【００１４】
上述したように、本発明容器体は、主容器と副容器の開口部の開口方向を逆方向にしてフランジにより折り曲げ可能に一体に連結し形成してあるので、副容器をフランジを介して主容器内へ折り曲げ嵌入することで、開口方向が同方向であって主容器内で副容器が移動しない構造の容器体にすることができる。従って、主容器と副容器の両方へその上方から内容物を容易に充填できる安価で作業性に優れた容器体を提供することができる。
また、上記容器体を用いて主容器に、例えば野菜惣菜としてのカット野菜を充填し、副容器内に小袋入り調味液を収容してこれらを窒素ガスと共に袋体に装填密封することで、流通後も袋体内の主容器に小袋がきちんと納まった見栄えのする新鮮なカット野菜商品として提供できる。
【発明を実施するための最良の形態】
【００１５】
以下、本発明の容器体及びこれを用いた野菜惣菜の包装体を図面に示す実施の形態を参照して説明する。
【実施例】
【００１６】
［実施例１］
図１は、本発明容器体の一実施例を示す斜視図であり、図２の（イ）は図１のＡ−Ａ線矢視断面図であり、同（ロ）は（イ）図の容器体をフランジ部で折り曲げ主容器内へ副容器を嵌入した状態を示す断面説明図である。また、図３は図１の副容器を主容器内へ嵌入した状態を示す斜視図である。図４（イ）は本発明容器体の他の実施例を示す斜視図であり、図（ロ）は（イ）の副容器を主容器内へ嵌入した状態を示す斜視図である。図５は本発明野菜惣菜の包装体の一実施例を示す斜視図であり、図６は図５のＢ−Ｂ線矢視断面図である。
【００１７】
図１において、容器体１は主容器２と副容器３とがそれぞれのフランジ４，４・・・により一体に連結して形成してある。主容器２と副容器３を連結するフランジ部４，４には折曲線となる折曲線部５を施してある。また、主容器２の開口部６と副容器３の開口部７はそれぞれ逆方向に形成されている。
【００１８】
また、図４に示すようにフランジ部４、４にフランジ固定用凹凸部２０を形成してあると容器体１は使用する際には、副容器３を主容器２内に折り曲げ、さらに両容器のフランジ４に形成されたフランジ固定用凹凸部２０を嵌入させて固定することができる。このことは副容器か不用意に開くことを防止することができさらに好ましい。前記フランジ部固定用凹凸部２０は脱着自在であることから、副容器３に収納してある小袋入り調味料を取出した後、副容器を開放して主容器２に充填されているカット野菜を取出すことができるものである。
【００１９】
本実施例の容器体１は透明なプラスチック（ＰＥＴ）で製され主容器２の縦×横×高さを：（１８０ｍｍ×１２５ｍｍ×４０ｍｍ）とし、副容器を同（６０ｍｍ×１２５ｍｍ×１０mm）とし、それぞれ横幅（１００ｍｍ）のフランジ部４，４で一体に連結して形成してある。
また、本実施例ではフランジ部４，４の間の折曲線部５は副容器３を主容器２内に折り曲げ嵌入し易くするために折曲線部が形成してある（図２のイ、ロ参照）。
【００２０】
このように形成された容器体１は使用する際には、副容器３を主容器２内へ折り曲げ嵌入し、それぞれの開口部６と７を同方向の上向きにして内容物を容易に充填することができる。
また、前記折曲線を介して相対する両側のフランジ部の一部に互いに嵌合可能な凹部と突起部を形成しておくことで、凹部と突起部を嵌合させて主容器と副容器を脱着可能となり、しかもしっかりと固定することができる。
【００２１】
次に、上記容器体１の主容器２に野菜惣菜としてカット野菜８を充填し、副容器３に小袋入り調味液９を収容し窒素ガスと共に袋体１０に装填密封した本発明野菜惣菜の包装体１１の実施例を図３及び図４に基づいて重複する説明を省略して述べる。
【００２２】
上記構造とされた野菜惣菜の包装体１１は、袋体１０を透明樹脂製の外袋としてその内部に容器体１を装填密封してあるので、副容器３内に収容した小袋入り調味液９は、流通段階での商品の移動や取扱いによって、あちらこちらへ移動することがなく、主容器２内のカット野菜８へ紛れ込むこともない。また、袋体１０内には窒素ガスも封入してあるので、カット野菜の劣化も抑止され、野菜惣菜の包装体として見栄えのする、衛生的にも優れた商品にすることができる。
【００２３】
その他の実施例として副容器３にコーンやクルトン等のトッピングを配置することができる。その際、副容器の大きさ、ならび深さは配置する商品により大きさを変更することができる。
【図面の簡単な説明】
【００２４】
【図１】本発明容器体の一実施例を示す斜視図。
【図２】（イ）は図１のＡ−Ａ線矢視断面図であり、（ロ）は（イ）図の容器体をフランジ部で折り曲げ副容器を主容器内へ嵌入した状態を示す説明図。
【図３】図１の副容器を主容器内へ嵌入した状態を示す斜視図。
【図４】（イ）は本発明容器体の他の実施例を示す斜視図であり、（ロ）は（イ）の副容器を主容器内へ嵌入した状態を示す斜視図。
【図５】本発明野菜惣菜の包装体の一実施例を示す斜視図。
【図６】図５のＢ−Ｂ線矢視断面図。
【符号の説明】
【００２５】
１    容器体
２    主容器
３    副容器
４    フランジ
５    折曲線部
６    開口部
７    開口部
８    野菜惣菜（カット野菜）
９    小袋入り調味液
１０    袋体（外袋）
１１    野菜惣菜の包装体
２０    フランジ固定用凹凸部
【図１】
2008132993.tif 000003
【図２】
2008132993.tif 000004
【図３】
2008132993.tif 000005
【図４】
2008132993.tif 000006
【図５】
2008132993.tif 000007
【図６】
2008132993.tif 000008